(57)【要約】【課題】内部結露水や電線を伝わる水の浸入を抑制できる監視装置用カバーを提供する。【解決手段】監視装置に取り付けられる監視装置用カバーであって、監視装置の一方の面を覆う第１のカバーと、頂部に第１の開口を有し、第１のカバーの監視装置とは非対向側から、監視装置の一方の面及び第１のカバーを覆う第２のカバーと、を有する。第１のカバーは、第２のカバーとの間に、監視装置の外側に向かって水を誘導する水誘導路を有する。【選択図】図１
2016118714.tif 000002
【特許請求の範囲】
【請求項１】
監視装置に取り付けられる監視装置用カバーであって、
前記監視装置の一方の面を覆う第１のカバーと、
頂部に第１の開口を有し、前記第１のカバーの前記監視装置とは非対向側から、前記監視装置の前記一方の面及び前記第１のカバーを覆う第２のカバーと、
を有し、
前記第１のカバーは、前記第２のカバーとの間に、前記監視装置の外側に向かって水を誘導する水誘導路を有する、監視装置用カバー。
【請求項２】
請求項１に記載の監視装置用カバーであって、
前記第１のカバーは、前記監視装置の鉛直方向上側に配置され、
前記第２のカバーは、前記第１のカバーの鉛直方向上側に配置された、監視装置用カバー。
【請求項３】
請求項１または２に記載の監視装置用カバーであって、
前記第１のカバーは、頂部が第２の開口を有し、前記監視装置の前記一方の面の全周を覆う錐状部を有する監視装置用カバー。
【請求項４】
請求項３に記載の監視装置用カバーであって、
前記第１のカバーは、前記錐状部に連なる第１の筒部を有し、
前記第２のカバーは、第２の筒部を有し、
前記第２の筒部は、前記第１の開口を有し、前記監視装置とは非対向側の端部において取付具に固定され、
前記第１の筒部は、前記第２の開口を有し、前記第２の筒部の内方に挿通され、前記第２の筒部よりも前記取付具側に突出する、監視装置用カバー。
【請求項５】
請求項４に記載の監視装置用カバーであって、
前記第１のカバーと前記第２のカバーとは、締結部材により一体に固定され、
前記第１のカバーは、前記第２のカバー側へ突出し、前記締結部材を包囲する突出部を有する、監視装置用カバー。
【請求項６】
請求項１または２に記載の監視装置用カバーであって、
前記第１のカバーは、
前記監視装置の前記一方の面の一部を覆い、
縁部に水誘導壁を有する前記水誘導路と、
前記水誘導路の上流端に形成され、前記第１の開口の直下に配置された受け皿部と、
前記水誘導路の下流端に形成された排水口部と、
前記受け皿部と前記排水口部との間の前記水誘導路に形成された電線引き込み部と、
を有する監視装置用カバー。
【請求項７】
請求項６に記載の監視装置用カバーであって、
前記水誘導路に、電線が配置され、
前記電線は、前記水誘導路の前記下流端側において曲げられた屈曲部を有する、監視装置用カバー。
【請求項８】
請求項７記載の監視装置用カバーであって、
前記電線引き込み部は、前記屈曲部よりも前記上流端側において、前記水誘導壁の一部を切り欠いて形成された、監視装置用カバー。
【請求項９】
請求項７または８に記載の監視装置用カバーであって、
前記第１のカバーは、前記水誘導路における前記屈曲部の位置に、前記電線が横断する窪み部を有する、監視装置用カバー。
【発明の詳細な説明】
【技術分野】
【０００１】
本発明は、監視装置用カバーに関する。
【背景技術】
【０００２】
パイプを用いて監視カメラを天井等に取り付ける方法が知られている。監視カメラを作動させた場合、監視カメラ内にはカメラをはじめ電子部品などの発熱源が多いため、監視カメラ内部の温度は上昇する。
【０００３】
監視カメラ内部で暖められた空気は上昇し、取り付け用のフランジやパイプ（以下、取付装置ともいう）内で冷却されて結露する。この結露した水滴（以下、内部結露水ともいう）は、例えばフランジ、ケーブル、パイプ内を伝わり下降し、カメラ内部や回動機構の内部に進入し、故障原因となる。
【０００４】
従来、監視カメラ内部の温度上昇を低減し、防熱性を向上させることで、結露の防止を図った監視カメラが提案されている（特許文献１等参照）。
【先行技術文献】
【特許文献】
【０００５】
【特許文献１】特開平１０−２７４７９８号公報
【発明の概要】
【発明が解決しようとする課題】
【０００６】
特許文献１の監視カメラは、内部結露水や電線を伝わる水の浸入を防ぐことが困難であった。
【０００７】
本発明は、上記事情に鑑みてなされたものであって、内部結露水や電線を伝わる水の浸入を抑制できる監視装置用カバーを提供する。
【課題を解決するための手段】
【０００８】
本発明の監視装置用カバーは、監視装置に取り付けられる監視装置用カバーであって、前記監視装置の一方の面を覆う第１のカバーと、頂部に第１の開口を有し、前記第１のカバーの前記監視装置とは非対向側から、前記監視装置の前記一方の面及び前記第１のカバーを覆う第２のカバーと、を有し、前記第１のカバーは、前記第２のカバーとの間に、前記監視装置の外側に向かって水を誘導する水誘導路を有する。
【発明の効果】
【０００９】
本発明によれば、内部結露水や電線を伝わる水の浸入を抑制できる。
【図面の簡単な説明】
【００１０】
【図１】本発明の第１の実施形態に係る監視装置用カバーの一例を示す断面図
【図２】図１に示した監視装置用カバーによって覆われて取付具に固定された監視カメラの一例を示す外観斜視図
【図３】第１の実施形態に係る壁面取付タイプの取付具によって固定された監視装置用カバー及び監視カメラの一例を示す斜視図。
【図４】図２の分解斜視図
【図５】第１の実施形態に係る全方位マイクが取り付けられる構成の一例を示す分解斜視図
【図６】第１の実施形態に係る内側カバー及び外側カバーの一例を示す分解斜視図
【図７】第１の実施形態に係る一体に固定された内側カバー及び外側カバーとカメラ本体取付金具との一例を示す分解斜視図
【図８】第２の実施形態に係る監視装置用カバーの一部分を切り欠いた構成の一例を示す斜視図
【図９】図８の分解斜視図
【図１０】第２の実施形態に係る全方位マイクが取り付けられる構成の一例を示す分解斜視図
【図１１】図８の外側カバーを省略した構成の一例を示す斜視図
【図１２】図１１に示した内側カバーの一例を示す斜視図
【図１３】変形例に係る内側カバーを扇形状に形成した構成の一例を示す斜視図
【図１４】変形例に係る電線引き込み傾斜路が形成された内側カバーを、外側カバーの一部分を切り欠いて監視カメラと共に表した構成の一例を示す斜視図
【図１５】特許文献１の監視カメラの断面図
【発明を実施するための形態】
【００１１】
以下、本発明の実施形態について、図面を用いて説明する。
【００１２】
（本発明の一形態を得るに至った経緯）
【００１３】
図１５は、特許文献１に記載された監視カメラの構成を示す断面図である。監視カメラ５０１は、天井（図示略）から室内に向けて設置したパイプ５０３の下端に取り付けられる。パイプ５０３の内方には電源用、制御用、映像用のケーブル５０５が通され、監視カメラ５０１に接続される。
【００１４】
監視カメラ５０１は、外部と電気的接続するコネクト基板５０７と、カメラ５０９と、を有し、コネクト基板５０７とカメラ５０９が外装カバー５１１で覆われて成る。コネクト基板５０７とカメラ５０９の間には、シールド部５１３が設けられる。シールド部５１３の外部との接続側には、コネクト基板５０７が配置され、他方にはカメラ５０９が配置される。
【００１５】
シールド部５１３は、断面凹形状の環状に形成され、断熱材、低熱伝導率材料を用いて防熱効果を得る。外装カバー５１１には通気孔５１５を設け、外装カバー内部で暖められた空気を外装カバー外部へ放出する。
【００１６】
このように、監視カメラ５０１は、カメラ５０９をはじめ電子部品などの発熱源によって暖められた空気がフランジやパイプ内に到達しないように、シールド部５１３や放熱用の通気孔５１５を設け、フランジやパイプ内で結露が生じないようにしている。
【００１７】
しかし、監視カメラ５０１内部の結露は、電子部品などの発熱源による温度差以外にも、外気温の急激な変動（例えば、寒冷地においての太陽光輻射熱による温度差）によっても発生し得る。
【００１８】
監視カメラ５０１では、パイプ内等で一度結露が生じれば、落下した水がコネクト基板５０７に落ち、シールド部５１３に溜まることになる。また、シールド部５１３は、断面凹形状の環状に形成され、水受け皿としての効果も期待できるが、浸入量が多い場合には、溢れた水がカメラ５０９をはじめとする電子部品に落下する。例えば、監視カメラ５０１に進入した水滴は、ケーブル５０５を伝わってコネクト基板５０７やカメラ５０９にまで達する可能性があり、この場合には電気的なショートの原因になる。また、外装カバー５１１に直接穿設した通気孔５１５は、監視カメラ５０１を屋外で使用した場合、風雨によって水が浸入しやすい。
【００１９】
以下、内部結露水や電線を伝わる水の浸入を抑制できる監視装置用カバーについて説明する。
【００２０】
（第１の実施形態）
図１は、第１実施形態に係る監視装置用カバーの断面図である。図２は、図１に示した監視装置用カバーによって覆われて取付具に固定された監視カメラの外観斜視図である。図３は、壁面取付タイプの取付具によって固定された監視装置用カバー及び監視カメラの斜視図である。図４は、図２の構成が分解された状態の一例を示す斜視図（分解斜視図）である。図５は、全方位マイクが取り付けられる構成の分解斜視図である。図６は、内側カバー及び外側カバーの分解斜視図である。図７は、一体に固定された内側カバー及び外側カバーとカメラ本体取付金具との分解斜視図である。
【００２１】
本実施形態に係る監視装置用カバー１１は、監視カメラ１３の上方を覆って一体に取り付けられる。監視カメラ１３は、監視装置用カバー１１によって取付具１５に取り付けられる。監視装置用カバー１１は、内側カバー１７と、外側カバー１９と、排水路と、を有する。
【００２２】
内側カバー１７は、監視カメラ１３の鉛直方向上側に配置される。内側カバー１７の鉛直方向上側には、外側カバー１９が配置される。つまり、監視カメラ１３は、二重に重ねられた内側カバー１７と外側カバー１９とによって上方が覆われている。
【００２３】
外側カバー１９は、外側錐状本体部２１と、外側筒部２３と、を有する。外側錐状本体部２１は、例えば略円錐形に形成される。外側錐状本体部２１は、円錐形の他、例えば角錐形でもよい。角錐形は、例えば、三角錐、四角錐、五角錐、六角錐、八角錐を含む。
【００２４】
外側錐状本体部２１は、監視カメラ１３及び内側カバー１７を上側から覆って、頂部が開口する。外側錐状本体部２１の開口には、外側筒部２３が同軸で接続される。外側筒部２３は、取付具１５の固定筒２５に、例えば挿入されて固定される。
【００２５】
取付具１５は、図２に示すように、天井等に固定される固定フランジ部２７に、固定筒２５が垂設される。固定筒２５には、天井内に配索された電線２９（ケーブル）（例えば図８参照）が挿通される。外側筒部２３は、例えば、固定筒２５の下端から内方に挿入され、固定筒２５の外側から螺合される外側筒部固定ビス３１によって固定される。
【００２６】
尚、監視カメラ１３は、壁面に取り付けられてもよい。この場合、図３に示す壁面取付タイプの取付具３３が用いられる。壁面取付タイプの取付具３３は、固定フランジ部２７からＬ字管３５が突出され、Ｌ字管３５の先端が、軸線を鉛直方向に沿う方向とした固定筒２５となる。従って、取付具３３によっても、監視カメラ１３は、固定筒２５に支持されることで、鉛直方向下向きに取り付けることが可能となる。
【００２７】
内側カバー１７は、内側錐状本体部３７と、排水路（錐状排水路３９）と、内側筒部４１と、を有する。内側錐状本体部３７は、例えば略円錐形に形成される。
【００２８】
内側錐状本体部３７は、監視カメラ１３を上側から覆って、頂部が開口する。内側錐状本体部３７は、上面全周が下り傾斜となった錐状排水路３９となる。錐状排水路３９は、傾斜面下部４３が、監視カメラ１３の外側となるように形成されている。これにより、傾斜面下部４３から落下した水は、監視カメラ１３に接触しない。
【００２９】
尚、図５に示すように、監視カメラ１３とともに、全方位マイク４５が取り付けられてもよい。全方位マイク４５は、内穴空間部に監視カメラ１３を収容可能に環状に形成される。全方位マイク４５は、マイク取付金具４７によって監視カメラ１３に固定される。この場合でも、錐状排水路３９は、傾斜面下部４３が、全方位マイク４５の外側となるように形成されている。これにより、傾斜面下部４３から落下した水は、全方位マイク４５に接触しない。
【００３０】
更に、監視装置用カバー１１に対して、監視カメラ１３が取り付けられず、つまり監視カメラ１３の代わりに、全方位マイク４５が取り付けられてもよい。
【００３１】
内側錐状本体部３７の開口には、内側筒部４１が同軸で接続される。内側筒部４１は、図１に示すように、外側筒部２３の内方に挿通される。内側筒部４１は、内方に電線２９が挿通される。つまり、取付具１５の固定筒２５から導入された電線２９は、内側筒部４１に挿通されて、内側カバー１７の下側に配置される監視カメラ１３に接続される。
【００３２】
内側カバー１７は、錐状排水路３９を挟み外側カバー１９と重ねられて一体に固定される。内側カバー１７は、外側カバー１９と固定された状態において、内側筒部４１が外側筒部２３よりも上方（鉛直方向上側）へ突出する。外側筒部２３は、固定筒２５の内周に係合する。
【００３３】
従って、固定筒２５の内周面を流下する水は、外側筒部２３の端面に到達した後、外側筒部２３の内周面を伝って流下する。この際、外側筒部２３の内方には、内側筒部４１が高く突出していることで、外側筒部２３の内側へ流入した水が、内側筒部４１の内方へ流入することが抑制される。このため、外側筒部２３の内側へ流入した水は、外側カバー１９と内側カバー１７の間、即ち、内側カバー１７の錐状排水路３９に落下して流下することになる。これにより、錐状排水路３９は、内側カバー１７の上面に形成されて、水を内側カバー１７と外側カバー１９との間の空間から外部へ流す。
【００３４】
図６に示すように、監視装置用カバー１１は、内側カバー１７が、下方より上方へ貫通した固定ビス４９によって外側カバー１９に締結されることで、外側カバー１９と一体に固定される。内側カバー１７の錐状排水路３９には、固定ビス４９を包囲する突出部５１が形成される。
【００３５】
具体的には、内側カバー１７には、円周方向に複数の有底筒状の係合部５３が貫通して形成される。外側カバー１９には、係合部５３に対向する位置に、係合部５３に嵌合するボス５５が垂設される。ボス５５には、固定ビス４９が螺合する雌ねじ５７が同軸で形成される。
【００３６】
内側カバー１７と外側カバー１９とは、重ねられることで、係合部５３にボス５５が挿入される。係合部５３に挿入されたボス５５には、係合部５３の底部を貫通した固定ビス４９が螺合される。これにより、係合部５３とボス５５を介して内側カバー１７と外側カバー１９とが固定される。
【００３７】
この際、係合部５３の上端は、内側カバー１７の錐状排水路３９よりも若干上方に突出している。つまり、係合部５３の上端が、突出部５１となっている。このため、錐状排水路３９を流下する水は、係合部５３の内方へは浸入しないようになっている。
【００３８】
一体に組み付けられた内側カバー１７及び外側カバー１９には、図７に示すように、外側カバー１９に垂設されるカメラ固定ボス５９に、カメラシャシー６１がカメラ固定ビス６３によって固定される。これにより、固定筒２５に固定される内側カバー１７及び外側カバー１９に、監視カメラ１３が支持される。
【００３９】
この構造においても、図７に示すように、内側カバー１７には、カメラ固定ボス５９と嵌合する複数の有底筒状の係合部５３が貫通して形成される。そして、内側カバー１７の錐状排水路３９には、カメラ固定ビス６３を包囲する上記同様の突出部５１が形成されている。
【００４０】
次に、監視装置用カバー１１の作用を説明する。
【００４１】
監視装置用カバー１１では、監視カメラ１３を覆った外側カバー１９の下側に、内側カバー１７が配置される。外側カバー１９には、取付具１５の固定筒２５に挿入されて固定される外側筒部２３が形成される。固定筒２５から流下する水は、外側筒部２３の内方に浸入する可能性がある。
【００４２】
そこで、監視装置用カバー１１は、外側筒部２３の内部を伝って流下する水を、内側カバー１７の上面に形成した排水路（錐状排水路３９）によって、外部へ排水するようにしている。これにより、固定筒２５から浸入する水を、監視カメラ１３に接触させないようにできる。流下した水は、その都度、錐状排水路３９を介して外部へ排水されるので、監視装置用カバー１１に溜まることを抑制できる。
【００４３】
そして、監視装置用カバー１１では、内側カバー１７と外側カバー１９とが、内側錐状本体部３７を外側錐状本体部２１が覆うことで二重構造となる。内側錐状本体部３７の上面全周は、錐状排水路３９となる。つまり、監視カメラ１３は、例えば漏斗状の屋根となった内側カバー１７によって覆われることになり、外側カバー１９の下側に浸入した水の落下が防止される。
【００４４】
また、監視装置用カバー１１では、内側カバー１７と外側カバー１９とに、電線２９を挿通する内側筒部４１と外側筒部２３とが設けられている。内側筒部４１は、外側筒部２３の内方に挿通され、外側筒部２３よりも上方に突出され得る。これにより、監視装置用カバー１１は、外側筒部２３の内方を伝った水が、内側筒部４１の内方へ浸入することを抑制できる。外側筒部２３の内方を伝った水は、内側筒部４１の上面全周に形成されている錐状排水路３９を流下して外部へ排水される。
【００４５】
更に、内側カバー１７は、下方より貫通する固定ビス４９が、外側カバー１９に螺合することで、外側カバー１９と一体に固定される。従って、固定ビス４９は、内側カバー１７の錐状排水路３９を貫通する。そこで、錐状排水路３９には、固定ビス４９を包囲する突出部５１が突設され得る。これにより、錐状排水路３９を流下する水は、突出部５１に当たって突出部５１を避けて流れる。従って、監視装置用カバー１１は、固定ビス４９の貫通孔を通って下方、即ち内側カバー１７の下側へ浸入することを抑制できる。
【００４６】
（第２の実施形態）
図８は、第２の実施形態に係る監視装置用カバーの一部分を切り欠いた斜視図である。図９は、図８の構成が分解された状態の一例を示す斜視図（分解斜視図）である。図１０は、全方位マイクが取り付けられる構成の分解斜視図である。図１１は、図８の外側カバーを省略した斜視図である。図１２は、図１１に示した内側カバーの斜視図である。 
【００４７】
尚、本実施形態において、図１〜図７に示した部材と同等の部材には同一の符号を付し、重複する説明は省略又は簡略化する。また、図９，図１０では、監視装置用カバーに取り付けられる監視カメラ１３が省略して描かれている。また、図１０では、監視装置用カバーに取り付けられる全方位マイク４５が省略して描かれている。
【００４８】
本実施形態に係る監視装置用カバー６５は、内側カバー６７が、樋状排水路６９と、受け皿部７１と、排水口部７３と、電線引き込み部７５と、を有する。外側カバー１９は、第１の実施形態と同様である。
【００４９】
図９に示すように、監視装置用カバー６５は、外側カバー１９の外側筒部２３が、外側筒部固定ビス３１、スプリングワッシャー７７、ワッシャー７９によって固定筒２５に固定される。
【００５０】
固定筒２５に固定された外側カバー１９には、内側カバー６７の固定板部８１が固定ビス４９によって固定される。また、外側カバー１９には、監視カメラ１３のカメラシャシー６１が、カメラ固定ビス６３によって固定される。この場合においても、図１１に示すように、樋状排水路６９は、排水口部７３が、監視カメラ１３の外側となるように形成されている。これにより、排水口部７３から落下した水は、監視カメラ１３に接触しない。
【００５１】
尚、第１の実施形態と同様に、監視装置用カバー６５においても、監視カメラ１３の周囲には、全方位マイク４５がオプションとして取り付けられてもよい。この場合、外側カバー１９には、内側カバー６７が固定ビス４９によって固定される。外側カバー１９には、図１０に示すマイク取付金具８３がマイク金具固定ビス８５によって固定される。マイク取付金具８３には、マイクシャシー８７がマイク固定ビス８９によって固定される。
【００５２】
更に、監視装置用カバー６５に対して、監視カメラ１３が取り付けられず、つまり監視カメラ１３の代わりに、全方位マイク４５が取り付けられてもよい。
【００５３】
内側カバー６７は、図１１に示すように、監視カメラ１３の一部分を覆って、外側カバー１９の下方で、例えば外側カバー１９に沿って傾斜する樋状に形成されている。内側カバー６７は、内側カバー６７の上面の殆どが、樋状排水路６９となる。樋状排水路６９は、縁部に排水誘導壁９１が形成される。これにより、樋状排水路６９を流下する水が、監視カメラ１３へ侵入することを抑制できる。
【００５４】
図１２に示すように、受け皿部７１は、樋状排水路６９の上流端に形成される。受け皿部７１は、例えば、外側筒部２３の内径以上の長さの内径を有した扁平な有底円筒状に形成される。受け皿部７１は、外側筒部２３の直下に配置され、外側筒部２３から流下する水の全てを受ける。受け皿部７１に受けられた水は、受け皿部７１の開放部９３から樋状排水路６９に流れる。
【００５５】
排水口部７３は、樋状排水路６９の下流端に形成される。樋状排水路６９を流下した水は、排水口部７３から外部へと排水される。この構成においても、排水口部７３は、監視カメラ１３の外側に配置される。これにより、監視装置用カバー６５は、排水口部７３から落下した水が、監視カメラ１３や全方位マイク４５に接触することを抑制できる。
【００５６】
電線引き込み部７５は、受け皿部７１と排水口部７３との間の樋状排水路６９に形成される。電線引き込み部７５は、樋状排水路６９に配索された電線２９を、内側カバー６７の下側に引き込むための入口となる。即ち、固定筒２５から外側筒部２３に挿通された電線２９は、受け皿部７１に載置され、樋状排水路６９を配索された後、電線引き込み部７５から樋状排水路６９の下方へ引き込まれ、監視カメラ１３に接続される。
【００５７】
監視装置用カバー６５では、樋状排水路６９に配索される電線２９が、樋状排水路６９の傾斜面下部４３において、一旦、下方に曲げられた後、上方へ曲げられてもよい。即ち、電線２９は、図１１に示すように、樋状排水路６９の傾斜面下部４３において、例えばＵ字状の屈曲部９５を有する。
【００５８】
また、電線引き込み部７５は、屈曲部９５よりも上方の位置において、排水誘導壁９１の壁上端を切り欠いて形成されている。
【００５９】
次に、監視装置用カバー６５の作用を説明する。
【００６０】
監視装置用カバー６５では、内側カバー６７が、樋状排水路６９を有する。樋状排水路６９は、上流端に受け皿部７１を有する。受け皿部７１は、外側筒部２３の直下に配置される。これにより、外側筒部２３の内方に流入した水は、受け皿部７１に受けられた後、樋状排水路６９を流下し、下流端の排水口部７３から外部へ排水される。これにより、内側カバー６７は、錐状排水路３９よりも小型化、軽量化できる。
【００６１】
また、受け皿部７１及び樋状排水路６９には、固定筒２５、外側筒部２３を通って導入された電線２９が配線される。従って、電線２９を伝って浸入した水及び電線２９自体に結露した水は、受け皿部７１や樋状排水路６９に受けられることになる。これにより、受け皿部７１及び樋状排水路６９は、固定筒２５から流入する水と、電線２９を伝わる水との双方を受け、監視カメラ１３への水の落下を抑制できる。
【００６２】
また、監視装置用カバー６５では、受け皿部７１に載置され、樋状排水路６９を配索される電線２９は、樋状排水路６９の下側へ引き込んで監視カメラ１３と接続される。この際、電線２９を水の流下方向で引きこむと、水が電線２９を伝って電線引き込み部７５から監視カメラ１３へ浸入し得る。
【００６３】
そこで、電線２９は、一旦、下方へ曲げられた後、上方へ曲げられるＵ字状の屈曲部９５を有する。これにより、監視装置用カバー６５は、電線２９を伝った水が、屈曲部９５の下端から落下し、屈曲部９５よりも上方の電線引き込み部７５から浸入することを抑制できる。
【００６４】
更に、監視装置用カバー６５では、電線２９が、排水誘導壁９１の壁上端を切り欠いた電線引き込み部７５から、内側カバー６７の下側へ引き込まれる。これにより、外側カバー１９と内側カバー６７との離間距離（樋状排水路６９を確保するための空隙距離）を、排水誘導壁９１の高さ程度に短くできる。その結果、排水構造を省スペース化できる。
【００６５】
次に、監視装置用カバー６５の変形例を説明する。
【００６６】
（第１変形例）
図１３は、第１変形例に係る略扇形状に形成された内側カバーの斜視図である。
【００６７】
第１変形例に係る監視装置用カバーでは、内側カバー９７が略扇形状に形成される。内側カバー９７の一方の側部には、扇形状の内側に入り込んだ凹状部９９が形成される。内側カバー９７では、凹状部９９の下側の排水誘導壁９１を切り欠くことで、電線引き込み部１０１が形成されている。
【００６８】
内側カバー９７は、樋状排水路６９の屈曲部９５に応じた位置に、窪み部１０３が形成されてもよい。窪み部１０３は、樋状排水路６９における屈曲部９５の接触する電線載置面において、電線２９が横断するようにして形成されている。これにより、内側カバー９７は、電線２９の屈曲部９５と、窪み部１０３の底面との間に隙間が形成される。
【００６９】
この監視装置用カバーでは、内側カバー９７における樋状排水路６９の電線載置面に、窪み部１０３が形成されることで、電線載置面に載置された電線２９と電線載置面との間に隙間が形成される。例えばＵ字状に曲げられた屈曲部９５の内側に溜まろうとする水は、この隙間から流下する。これにより、第１変形例に係る監視装置用カバーは、屈曲部９５の内側に溜まった水が、溢れて、電線引き込み部１０１から内側カバー９７の下側へ浸入することを抑制できる。
【００７０】
（第２変形例）
図１４は、第２変形例に係る電線引き込み傾斜路の形成された内側カバーを、外側カバーの一部分を切り欠いて監視カメラと共に表した斜視図である。
【００７１】
第２変形例に係る構成では、樋状排水路６９に、上向きの電線引き込み傾斜路１０５が分岐して形成されている。
【００７２】
この監視装置用カバーでは、電線引き込み傾斜路１０５の幅を広く確保できる。これにより、例えば、複数の電線２９を重ねずに引き込むことができる。その結果、排水誘導壁９１の高さを低くできる。
【００７３】
このように、監視装置用カバー１１，６５によれば、内部結露水や電線２９を伝わる水の浸入を抑制できる。
【００７４】
なお、本発明は、上記実施形態の構成に限られるものではなく、特許請求の範囲で示した機能、または本実施形態の構成が持つ機能が達成できる構成であればどのようなものであっても適用可能である。
【００７５】
以上のように、上記実施形態の監視装置用カバー（例えば監視装置用カバー１１，６５は、監視装置（例えば監視カメラ１３、全方位マイク４５）に取り付けられる。監視装置用カバーは、第１のカバー（例えば内側カバー１７，６７）と第２のカバー（例えば外側カバー１９）を有する。第１のカバーは、監視装置の一方の面を覆う。第２のカバーは、頂部に第１の開口を有し、第１のカバーの監視装置とは非対向側（外側）から、監視装置の一方の面及び第１のカバーを覆う。第１カバーは、第２のカバーとの間に、監視装置の外側に向かって水を誘導する水誘導路（例えば、錐状排水路３９、樋状排水路６９）を有する。
【００７６】
これにより、例えば、フランジ、ケーブル、パイプ等の取付装置から第１のカバーの第１の開口へ入水した水（例えば、内部結露水、ケーブル等の電線を伝わる水）を、水誘導路を介して監視装置の外側に排水できる。従って、監視装置用カバーは、内部結露水や電線を伝わる水が監視装置へ浸入することを抑制できる。
【００７７】
更に、監視装置を天井、壁、ポールに取り付ける場合、取付業者が任意の取付方法で設置していたが、上記実施形態の監視装置用カバーを用いることで、監視装置の取り付け方を統一でき、メンテナンス性を向上できる。
【００７８】
また、監視装置用カバーは、第１のカバーが、監視装置の鉛直方向上側に配置され、第２のカバーが、第１のカバーの鉛直方向上側に配置されてもよい。
【００７９】
これにより、鉛直方向上側から第１の開口へ入水した水を、水誘導路を介して監視装置の外側に排水できる。
【００８０】
また、監視装置用カバーは、第１のカバーが、頂部が第２の開口を有し、監視装置の一方の面の全周を覆う錐状部（例えば錐状排水路３９）を有してもよい。
【００８１】
これにより、第１のカバーと第２のカバーとが、錐状部を覆う第２カバーの部材（例えば外側錐状本体部２１）によって二重構造となる。例えば、錐状部の上面全周は、水誘導路となる。つまり、監視装置は、例えば、漏斗状の屋根となった第１のカバーによって覆われることになり、第２のカバーの下側に浸入した水の落下を抑制できる。
【００８２】
また、監視装置用カバーは、第１のカバーが、錐状部に連なる第１の筒部（例えば内側筒部４１）を有し、第２のカバーは、第２の筒部（例えば外側筒部２３）を有してもよい。第２の筒部は、第１の開口を有し、監視装置とは非対向側（例えば鉛直方向上側）の端部において取付具（例えば取付具１５）に固定されてもよい。第１の筒部は、第２の開口を有し、第２の筒部の内方に挿通され、第２の筒部よりも取付具側に突出してもよい。
【００８３】
これにより、監視装置用カバーによれば、第２の筒部の内方を伝った水が、第１の筒部の内方へ浸入することを抑制できる。第２の筒部の内方を伝った水は、例えば、第１の筒部の上面全周に形成されている水誘導路を流下して外部へ排水される。
【００８４】
また、監視装置用カバーは、第１のカバーと第２のカバーとは、締結部材（例えば固定ビス４９）により一体に固定されてもよい。第１のカバーは、第２のカバー側へ突出し、締結部材を包囲する突出部（例えば突出部５１）を有してもよい。
【００８５】
これにより、第１のカバーは、例えば締結部材が第２のカバーに螺合することで、第２のカバーと一体に固定される。従って、締結部材は、第１のカバーの水誘導路を貫通する。そこで、水誘導路には、突出部が突設される。これにより、例えば、水誘導路を流下する水は、突出部に当たって突出部を避けて流れ、締結部材の貫通孔を通って下方、即ち、第１のカバーの下側へ浸入することが抑制される。
【００８６】
また、監視装置用カバーは、第１のカバーが、監視装置の一方の面の一部を覆ってもよい。第１のカバーは、水誘導路（例えば樋状排水路６９）と、受け皿部（例えば受け皿部７１）と、排水口部（例えば排水口部７３）と、電線引き込み部（例えば電線引き込み部７５）と、を有してもよい。水誘導路は、縁部に水誘導壁（例えば排水誘導壁９１）を有してもよい。受け皿部は、水誘導路の上流端に形成され、第１の開口の直下に配置されてもよい。排水口部は、水誘導路の下流端に形成される。電線引き込み部は、受け皿部と排水口部との間の水誘導路に形成されてもよい。
【００８７】
これにより、第１の開口から第２のカバーの内方に流入した水は、受け皿部に受けられた後、水排水路を流下し、下流端の排水口部から監視装置の外部へ排水される。この場合の第１のカバーは、錐状部を有する場合と比べ、小型化、軽量化できる。また、受け皿部及び水誘導路には、取付具や第１の開口を通って導入された電線が載置される。従って、電線を伝って浸入した水及び電線自体に結露した水は、受け皿部に受けられることになる。これにより、水誘導路は、取付具から流入する水と、電線を伝わる水と、の双方を受け、監視装置への水の落下を抑制できる。
【００８８】
また、監視装置用カバーは、水誘導路に、電線（例えば電線２９）が配置されてもよい。電線は、水誘導路の下流側において曲げられた屈曲部（例えば屈曲部９５）を有してもよい。
【００８９】
これにより、例えば、電線が下方へ配線された後に上方へ曲げられるので、監視装置用カバーは、電線を伝った水が、屈曲部の下端から落下し、電線引き込み部から浸入することを抑制できる。
【００９０】
また、監視装置用カバーは、電線引き込み部が、屈曲部よりも上流側において、水誘導壁の一部を切り欠いて形成されてもよい。
【００９１】
これにより、第２のカバーと第１のカバーとの離間距離（水誘導路を確保するための空隙距離）を、水誘導壁の高さで抑えることができる。その結果、排水構造を省スペース化できる。
【００９２】
また、監視装置用カバーは、第１のカバーが、水誘導路における屈曲部の位置に、電線が横断する窪み部（例えば窪み部１０３）を有してもよい。
【００９３】
これにより、水誘導路の電線載置面に窪み部が形成されることで、電線載置面に載置された電線と電線載置面との間に隙間が形成される。例えばＵ字状に曲げられた屈曲部の内側に溜まろうとする水は、この隙間から流下する。これにより、監視装置用カバーは、屈曲部の内側に溜まった水が溢れて、電線引き込み部から第１のカバーの下側へ浸入することを抑制できる。
【産業上の利用可能性】
【００９４】
本発明は、屋外に設置され、内部結露水や電線を伝わる水の浸入を抑制できる監視装置用カバー等に有用である。
【符号の説明】
【００９５】
１１  監視装置用カバー
１３  監視カメラ
１５  取付具
１７  内側カバー
１９  外側カバー
２１  外側錐状本体部
２３  外側筒部
２５  固定筒
２９  電線
３７  内側錐状本体部
３９  錐状排水路（排水路）
４１  内側筒部
４３  傾斜面下部
４９  固定ビス
５１  突出部
６９  樋状排水路（排水路）
７１  受け皿部
７３  排水口部
７５  電線引き込み部
９１  排水誘導壁
９５  屈曲部
１０３  窪み部
【図１】
2016118714.tif 000003
【図２】
2016118714.tif 000004
【図３】
2016118714.tif 000005
【図４】
2016118714.tif 000006
【図５】
2016118714.tif 000007
【図６】
2016118714.tif 000008
【図７】
2016118714.tif 000009
【図８】
2016118714.tif 000010
【図９】
2016118714.tif 000011
【図１０】
2016118714.tif 000012
【図１１】
2016118714.tif 000013
【図１２】
2016118714.tif 000014
【図１３】
2016118714.tif 000015
【図１４】
2016118714.tif 000016
【図１５】
2016118714.tif 000017